(57)【要約】【課題】連続走行するウェブを、巻取ロール状に巻取る際、高速搬送における、キズや巻ズレ等の欠陥の抑制を図り、良質な巻品質の巻取ロールを安定して得ることを可能にするウェブ巻取方法及び装置を提供すること。【解決手段】巻取ロールによりウェブを巻取る巻取工程と、前記巻取ロールと巻き取られる直前のウェブが形成する空間およびそれに隣接する空間を減圧機構により減圧する減圧工程と、前記巻取ロールの巻径を計測する計測工程と、前記計測工程から得られた巻取ロールの巻径のデータに基づき前記減圧機構の吸引口の位置を、ウェブや巻取ロールに干渉しない範囲で、ウェブが巻取ロールに接する巻取点に最も接近した位置に常に配置する減圧機構配置工程とからなり、前記巻取工程と前記減圧工程と前記計測工程と前記減圧機構配置工程とが同時に実施されることを特徴とする巻取方法。【選択図】図１
2013151360.tif 000002
【特許請求の範囲】
【請求項１】
連続走行するウェブを巻取ロール上に巻取る巻取方法であって、少なくとも、
巻取ロールによりウェブを巻取る巻取工程と、
前記巻取ロールとウェブによって挟まれた空間を減圧機構により減圧する減圧工程と、
前記巻取ロールの巻径を計測する計測工程と、
前記計測工程から得られた巻径のデータに基づき前記減圧機構の吸引口の位置を、ウェブや巻取ロールに干渉しない範囲で、ウェブが巻取ロールに接する巻取点に常に最も接近した位置に配置する減圧機構配置工程とからなり、
前記巻取工程と前記減圧工程と前記計測工程と前記減圧機構配置工程とが同時に実施されることを特徴とする巻取方法。
【請求項２】
巻取ロールとウェブによって挟まれた空間において、ウェブの流れ方向に多段に備えられた減圧機構により減圧工程が実施されることを特徴とする請求項１に記載の巻取方法。
【請求項３】
連続走行するウェブを巻取ロール上に巻取る巻取装置であって、少なくとも、
ウェブを巻取る巻取ロールと、
前記巻取ロールとウェブによって挟まれた空間を減圧する減圧機構と、
前記ウェブが巻取られることで刻々と変化する前記巻取ロールの巻径を計測するための変位センサと、
前記変位センサが計測したデータに基づき前記減圧機構の吸引口を、前記ウェブや前記巻取ロールと干渉しない範囲で、ウェブが巻取ロールに接する巻取点に最も接近した位置に配置させるための減圧機構配置機構と、を備えていることを特徴とする巻取装置。
【請求項４】
巻取ロールとウェブによって挟まれた空間に隣接する空間に、減圧機構がウェブの流れ方向に多段に備えられていることを特徴とする請求項３に記載の巻取装置。
【発明の詳細な説明】
【技術分野】
【０００１】
本発明は、ウェブを巻ズレなく巻取り、良質な巻品質の巻取ロールを作製することが可能な巻取方法及び巻取装置に関する。
【背景技術】
【０００２】
ウェブ巻取技術は、薄い連続体であるウェブを、ロール状に巻取る技術であり、紙類、プラスチックフィルムなど、種々の製品で広く利用されている。特にプラスチックフィルムのウェブ巻取技術は、光学分野、エレクトロニクス分野の発展にともない、注目されている技術である。
【０００３】
近年では、コストダウンや製品の更なる高品質化に伴い、プラスチックフィルムを高速で搬送する技術が求められている。しかしながら連続走行するウェブを、高速で巻取ロール上に巻取っていく巻取方法においては、空気同伴現象などの要因により、テレスコープと呼ばれる巻ズレが生じ、良質な巻品質の巻取ロールを得られないケースが多い。
【０００４】
一般的に、巻ズレを抑制するために、巻取ロールと巻取ロールにウェブが接する巻取点の近傍にニップロールと呼ばれるフリーロールを押し付けて、巻込空気量を抑制し、同伴空気を制限する方法が用いられている。しかしこのようなニップロールを押し当てる方式では、塗工面にロールが接触するため、良質な巻品質は得られるが、塗工表面にキズが発生し製品に欠陥が生じる可能性がある。
【０００５】
同伴空気を防止し、キズ及び巻ズレなくウェブを巻取る技術については、例えば特許文献１および特許文献２に開示されている。
【０００６】
特許文献１においては、巻取ロールと巻取られるウェブとの間に、ウェブと逆方向に空気を噴出する噴射手段を持ち、空気の噴射により同伴空気の侵入を抑えるとともに、巻取点を負圧にすることで、ウェブ層間への空気巻込みによるウェブ層間摩擦力の低下を防ぎ、巻ズレとタッチロールによるキズの発生を抑制している。
【０００７】
しかしながら特許文献１の方式では、空気噴射がウェブの進行方向と逆方向のみであるため、巻取点の両サイドから侵入する同伴空気に関しては防ぐことができない。また、巻取点と逆方向に空気噴射を行い負圧にするためには、かなりの空気が必要であり、実用性には乏しい。
【０００８】
特許文献２においては、巻取ロール外側からウェブ外表面に向け空気を噴射し、巻取ロールにウェブを押しあてながら、吹き付けられた空気を減圧装置により吸気することで、巻ズレと噴射空気のウェブ層間への進入を防いでいる。
【０００９】
しかしながら特許文献２の方式では、減圧装置により噴射空気の回収を行っているが、減圧装置が固定されており移動できないため、巻径によって変化する巻取点に追従しながら、最適な位置で減圧することができず、噴射空気の侵入を防ぐことは困難である。
【先行技術文献】
【特許文献】
【００１０】
【特許文献１】特開２００５−３５７３４号公報
【特許文献２】特開２００９−２８０３８４号公報
【発明の概要】
【発明が解決しようとする課題】
【００１１】
本発明の課題は、このような問題点に着目してなされたもので、連続走行するウェブを、巻取ロール状に巻取る際、高速搬送における、キズ等の欠陥や巻ズレの抑制を図り、良質な巻品質の巻取ロールを安定して得ることを可能にするウェブ巻取方法及び装置を提供することである。
【課題を解決するための手段】
【００１２】
上記課題を解決する手段として、請求項１に記載の発明は、連続走行するウェブを巻取ロール上に巻取る巻取方法であって、少なくとも、
巻取ロールによりウェブを巻取る巻取工程と、
前記巻取ロールとウェブによって挟まれた空間を減圧機構により減圧する減圧工程と、
前記巻取ロールの巻径を計測する計測工程と、
前記計測工程から得られた巻径のデータに基づき前記減圧機構の吸引口の位置を、ウェブや巻取ロールに干渉しない範囲で、ウェブが巻取ロールに接する巻取点に常に最も接近した位置に配置する減圧機構配置工程とからなり、
前記巻取工程と前記減圧工程と前記計測工程と前記減圧機構配置工程とが同時に実施されることを特徴とする巻取方法である。
【００１３】
請求項２に記載の発明は、巻取ロールとウェブによって挟まれた空間において、ウェブの流れ方向に多段に備えられた減圧機構により減圧工程が実施されることを特徴とする請求項１に記載の巻取方法である。
【００１４】
請求項３に記載の発明は、連続走行するウェブを巻取ロール上に巻取る巻取装置であって、少なくとも、
ウェブを巻取る巻取ロールと、
前記巻取ロールとウェブによって挟まれた空間を減圧する減圧機構と、
前記ウェブが巻取られることで刻々と変化する前記巻取ロールの巻径を計測するための変位センサと、
前記変位センサが計測したデータに基づき前記減圧機構の吸引口を、前記ウェブや前記巻取ロールと干渉しない範囲で、ウェブが巻取ロールに接する巻取点に最も接近した位置に配置させるための減圧機構配置機構と、を備えていることを特徴とする巻取装置である。
【００１５】
請求項４に記載の発明は、巻取ロールとウェブによって挟まれた空間に隣接する空間に、減圧機構がウェブの流れ方向に多段に備えられていることを特徴とする請求項３に記載の巻取装置である。
【発明の効果】
【００１６】
請求項１に記載された製造方法によれば、ウェブが巻取ロールに接する巻取点に最も接近した位置に常に減圧機構の吸引口を配置することができ、巻取ロールの巻径に応じた最適の位置で巻取点を吸引しているため、ウェブに同伴される空気がウェブ層間に巻込まれるのを的確に抑えることができる。また巻取時に空気を吸引する形式のため、ウェブ上の異物も吸い込み除去することができ、ニアロールの接触もないためウェブへのキズ発生も防ぐことができる。したがって、高速搬送時のウェブ巻取において、巻ズレやキズのない良質な巻品質の巻取ロールを安定して得ることができる。
【００１７】
請求項２に記載された製造装置によれば、ウェブが巻取ロールに接する巻取点の近傍に、減圧の吸引口を移動できる減圧機構を有し、巻取ロールの巻径に応じた最適の位置で巻取点を吸引しているため、ウェブに同伴される空気がウェブ層間に巻込まれるのを的確に抑えることができる。また巻取時に空気を吸引する形式のため、ウェブ上の異物も吸い込み除去することができ、ニアロールの接触もないためウェブへのキズ発生も防ぐことができる。したがって、高速搬送時のウェブ巻取において、巻ズレやキズのない良質な巻品質の巻取ロールを安定して得ることができる。
【００１８】
請求項３に記載された製造方法によれば、巻取ロールと巻取ロールに向け走行中のウェブとの間の空間において、空気を吸引するための減圧機構が多段に設置されているため、巻取ロールの上流側減圧機構により段階的に同伴空気の吸引を行うことができ、下流側減圧機構のみでは同伴空気を除去できない場合においても対応可能となる。したがって、高速搬送時のウェブ巻取において、巻ズレのない高品質の巻取ロールを安定して得ることができる。
【００１９】
請求項４に記載の製造装置によれば、巻取ロールと巻取ロールに向け走行中のウェブとの間の空間において、空気を吸引するための減圧機構が多段に設置されているため、巻取ロールの上流側減圧機構により段階的に同伴空気の吸引を行うことができ、下流側減圧機構のみでは同伴空気を除去できない場合においても対応可能となる。したがって、高速搬送時のウェブ巻取において、巻ズレのない高品質の巻取ロールを安定して得ることができる。
【図面の簡単な説明】
【００２０】
【図１】本発明の巻取装置の一例を示す模式的側面図
【図２】本発明の巻取装置の巻取ロールと下流側減圧機構の関係を説明する模式的側面図であり、（ａ）は巻取ロールの巻径が小さい場合の例、（ｂ）は巻取ロールの巻径が中間的な大きさの場合の例、（ｃ）は巻取ロールの巻径が大きい場合の例、をそれぞれ示している。
【発明を実施するための形態】
【００２１】
以下、本発明の一実施形態に係る巻ズレ防止機構を有するウェブの巻取装置について図面を用いて説明する。
【００２２】
図１は、本発明の巻取装置の一例を示す模式的側面図であり、減圧機構が下流側減圧機構４と上流側減圧機構５から構成されている場合の例を示している。
図２（ａ）、（ｂ）、（ｃ）は、図１において、上流側減圧機構５を除いて示しており、巻取ロールの巻径が（ａ）、（ｂ）、（ｃ）の順に大きくなった場合のウェブの巻取装置の構成の例を示す概略図である。巻径が小さい時から大きくなっても、下流側減圧機構４の位置が、常に巻取点Ｐに近接して配置されている状況の例を示している。
【００２３】
この巻取装置は駆動軸２にコア９が接続されており、コア９にはテープ等によりウェブ３を掛けることができる。コア９はウェブ３の幅よりも長い有効幅を有しており、図１における時計方向に回転することで、掛かっているウェブ３を一定の速度で巻取ることができる。
【００２４】
巻取ロール１とウェブ３との巻取接点部、つまり巻取点Ｐに近接して下流側減圧機構４が配置される。この下流側減圧機構４には、減圧ブロア１０に続く減圧ラインが繋がっており、この減圧ラインから空気を引込み、減圧状態を形成する。下流側減圧機構４の吸引口６は、常に巻取点Ｐに近接できるように、巻径に応じて配置する位置に移動する制御がなされている。図２（ａ）、（ｂ）、（ｃ）に示すように、巻径が図２（ａ）、図２（ｂ）、図２（ｃ）の順に大きくなるにつれ、巻取点Ｐの位置が変化するため、巻取点Ｐに対して下流側減圧機構４の吸引口６が、ウェブ３や巻取ロール１と干渉しない範囲で、最も近接した位置に配置できるように、下流側減圧機構４を移動させながら減圧を行う。この際、ウェブ３を巻取る角度も変わっていくため、それに合せて吸引口６の傾斜角度も巻径の変化に対応させてウェブ３や巻取ロール１と干渉しないように制御されている。駆動系にはモータ等を用い、巻径の測定は巻取ロール１の上方に取り付けられた変位センサ８を用いて行われる。また下流側減圧機構４の吸引口６は巻取点Ｐにできるだけ接近させるため、吸引風量が確保できる範囲で、細長い先端形状となっている。
【００２５】
下流側減圧機構４から、さらに上流側には、上流側減圧機構５が具備されている。上流側減圧機構５は吸引口６’が下流側減圧機構４の吸引口６より広く、下流側減圧機構４の前段の粗引きを担っている。減圧機構は、下流側、上流側ともに、ウェブより広い有効幅を有しており、ウェブ上だけでなく、サイドから侵入する同伴空気７も吸引することができる。
【００２６】
次に、この巻ズレ防止機構を有するウェブの巻取装置の動作について説明する。
【００２７】
コア９にウェブ３が掛かっている状態のもとで、駆動軸２と共にコア９が回転しウェブ３の巻取りが始まる。同伴空気７は、まず上流側減圧機構５により粗く吸引される。その後、下流側減圧機構４により巻取ロール１とウェブ３との接点である、巻取点Ｐ近傍の空気を吸引し、同伴空気７を除去しながらウェブ３を巻取っていく。
【００２８】
ウェブ３を巻取っていく際、下流側減圧機構４には、巻径の増大にともない変化する巻取点Ｐの位置の変化に追従する機構が備わっているため、巻径が増大していっても巻取点Ｐからの同伴空気７を適確に吸引することができ、巻取ロール１への空気巻込みを抑制できる。また減圧機構による空気の吸引により、ウェブ３上の異物も除去することができる。
【００２９】
ライン速度変更により、同伴空気７の量が増大した場合は、上流側減圧機構５及び下流側減圧機構４の吸引量を調整することで、同伴空気７の侵入を防ぐことができる。以上の方法により、高速搬送時における巻取において、巻取られたウェブ層間への空気巻込みを安定して防ぐことができ、巻ズレ、キズのない巻取ロール１を得ることができる。
【符号の説明】
【００３０】
１…巻取ロール
２…駆動軸
３…ウェブ
４…下流側減圧機構
５…上流側減圧機構
６、６’…吸引口
７…同伴空気
８…変位センサ
９…コア
１０…減圧ブロア
Ｐ…巻取点
【図１】
2013151360.tif 000003
【図２】
2013151360.tif 000004